(57)【要約】      （修正有）【課題】商品架設体から簡単に外れることがなく、しかも、商品架設体への着脱が自在でディスプレイも変更できる陳列用吊下げ具を提供する。【解決手段】掛止板５は、その上端側に商品架設体１の上側の横線材２に掛止する掛止片５ａを設けているとともに、その下端側に下側の横線材に係止して掛止板の上方移動を規制する折曲片５ｂを設けている。【選択図】図１
0003107337.tif 000002
【実用新案登録請求の範囲】
【請求項１】
少なくとも２本の横線材を上下に所定の間隔をおいて平行状に配置した商品架設体に着脱自在に取り付けられる陳列用吊下げ具であって、
前記商品架設体に着脱自在に掛止する掛止板と、該掛止板の前面に突設した商品吊り杆とからなり、
前記掛止板は、その上端側に商品架設体の上側の横線材に掛止する掛止片を、その下端側には商品架設体の下側の横線材に係止して掛止板の上方移動を規制する折曲片を設けたことを特徴とする陳列用吊下げ具。
【請求項２】
掛止板の折曲片は、やや斜め上方に傾斜してなることを特徴とする請求項１記載の陳列用吊下げ具。
【請求項３】
掛止板の折曲片に、商品架設体の横線材に係止する係止手段を設けたことを特徴とする請求項１又は請求項２記載の陳列用吊下げ具。
【請求項４】
前記係止手段が、商品架設体の横線材に係止可能な係止溝であることを特徴とする請求項３記載の陳列用吊下げ具。
【請求項５】
前記係止手段が、折曲片の上面を断面ギザギザ形状に形成した滑り止めであることを特徴とする請求項３記載の陳列用吊下げ具。
【請求項６】
商品吊り杆は、前方に向けて斜め下方に傾斜していることを特徴とする請求項１〜請求項５のいずれかに記載の陳列用吊下げ具。
【請求項７】
商品吊り杆は、商品を吊り下げる複数の吊下げ部を有することを特徴とする請求項６記載の陳列用吊下げ具。
【請求項８】
商品吊り杆は、傾斜によって吊り下げられた商品が滑り落ちるのを防止する手段を設けていることを特徴とする請求項６又は請求項７記載の陳列用吊下具。
【考案の詳細な説明】
【技術分野】
【０００１】
本考案は、例えばスーパーマーケットやコンビニエンスストア等において商品を吊り下げて陳列するために使用される陳列用吊下げ具に関する。
【背景技術】
【０００２】
例えばスーパーマーケットやコンビニエンスストア等においては、多数の商品を効率よく陳列するため、陳列用吊下げ具に商品を吊り下げて陳列するようになっている。
【０００３】
上述した陳列用吊下げ具として、図５及び図６に示すように、陳列棚等のネットパネル、即ち、複数の横線材１２と複数の縦線材１３とを格子状に組んでその交点をスポット溶接等により接合したネットパネル１１に取付ける陳列用吊下げ具１４が知られている。この陳列用吊下げ具１４は、ネットパネル１１に着脱自在に掛止する掛止板１５と、商品(図示せず)を吊り下げるための商品吊下用吊り杆１６とを溶接等の手段により固着して一体化したものである。掛止板１５は、矩形状に形成された板材が用いられており、上端側に掛止片１５ａが設けられている。掛止片１５ａは、掛止板１５の上端部から後面側へ鉤形（逆Ｕ字形）に折曲形成され、ネットパネル１１の横線材１２に上側から引っ掛けて掛止するようになっている。商品吊り杆１６は、長尺状に形成された棒材が用いられており、掛止板１５の前面に略水平で前方に向けて突出して固着されている。
【０００４】
以上のように構成された陳列用吊下げ具１４は、掛止板１５の掛止片１５ａをネットパネル１１の横線材１２に上側から引っ掛けて掛止することにより、ネットパネル１１の前面側に取付けられるようになっている。そして、この取付状態で、商品を包装したパッケージの上部中央に設けられたフックを商品吊り杆１６に引っ掛けることにより、所望の商品を吊り下げ陳列するようになっている。
【考案の開示】
【考案が解決しようとする課題】
【０００５】
ところで、上記のような従来の陳列用吊下げ具１４は、掛止板１５の掛止片１５ａをネットパネル１１の横線材１２に上側から引っ掛けて掛止しただけであるので、単に持ち上げるだけで簡単に外れてしまう。従って、従来の陳列用吊下げ具１４は、消費者が１つの商品を取り外す際や陳列棚を移動する際などに上向きの力が加わると、ネットパネル１１から脱落する虞があり、ネットパネル１１から脱落すると、商品吊り杆１６に吊り下げられていた商品が落下により凹んだり傷付いたりして商品価値が低下するという不都合があった。そうかと言って、陳列用吊下げ具１４をネットパネル１１に溶接して取り付けたのでは、陳列用吊下げ具１４の取付作業に手間・時間を要するとともに、陳列用吊下げ具１４をネットパネル１１に一旦溶接してしまうと、ディスプレイの変更の際に陳列用吊下げ具１４を取り外したくても取り外すことができずディスプレイの変更が不可能であるという別の不具合を招く。
【０００６】
また、従来の陳列用吊下げ具１４は、商品吊り杆１６が掛止板１５に略水平に突設されているため、色柄等の異なる同じ種類の商品を吊り下げて陳列しても、一番手前の商品しか目につかず、消費者が色柄等の異なる商品を探す場合、商品を１つずつずらして商品の色柄等を確認する必要があり、手間であるという問題もあった。
【０００７】
本考案は、上記問題点に鑑み、商品架設体から簡単に外れることがなく、しかも、商品架設体への着脱が自在でディスプレイも変更できるとともに、色柄等の異なる同じ種類の商品を吊り下げて陳列しても商品の判別が容易に行なえる陳列用吊下げ具を提供することを目的とする。
【課題を解決するための手段】
【０００８】
本考案は、少なくとも２本の横線材を上下に所定の間隔をおいて平行状に配置した商品架設体に着脱自在に取り付けられる陳列用吊下げ具であって、前記商品架設体に着脱自在に掛止する掛止板と、該掛止板の前面に突設した商品吊り杆とからなり、前記掛止板は、その上端側に商品架設体の上側の横線材に掛止する掛止片を、その下端側には商品架設体の下側の横線材に係止して掛止板の上方移動を規制する折曲片を設けたことを特徴とする。
【０００９】
この考案によれば、掛止板の折曲片が商品架設体の横線材に係止して掛止板の上方移動を規制するので、陳列用吊下げ具を単に持ち上げても、陳列用吊下げ具は商品架設体から簡単に外れないようになっている。しかも、商品架設体への着脱が自在になっていてディスプレイも変更できるようになっている。
【００１０】
また、本考案は、掛止板の折曲片は、やや斜め上方に傾斜してなることを特徴とする。
【００１１】
この考案によれば、掛止板の折曲片を商品架設体の横線材に押圧せしめることができ、これによって折曲片を横線材に確固に係止させることができる。
【００１２】
また、本考案は、掛止板の折曲片に商品架設体の横線材に係止する係止手段を設けたことを特徴とする。
【００１３】
この考案によれば、掛止板の折曲片に設けた係止手段を商品架設体の横線材に係止せしめ、折曲片を横線材により確固に係止させるようになっている。
【００１４】
更に、本考案は、商品吊り杆を前方に向けて斜め下方に傾斜したことを特徴とする。好ましくは、商品吊り杆は、商品を吊り下げる複数の吊下げ部を有するとともに、傾斜によって吊り下げられた商品が滑り落ちるのを防止する手段を設けている。
【００１５】
この考案によれば、斜め下方に傾斜した商品吊り杆に色柄等の異なる同じ種類の商品を色柄等別に分けて吊り下げることができるので、１つの陳列用吊下げ具で色柄等の異なる同じ種類の商品を色柄等別に分けて陳列させるようになっているとともに、商品吊り杆の傾斜によって吊り下げられた商品の色柄等を一目で確認できるようになっている。
【考案の効果】
【００１６】
本考案に係る陳列用吊下げ具は、商品架設体に取り付けるときは従来と同様に簡単に取付けることができるが、商品架設体に取り付けると単に持ち上げるだけでは簡単に外れず脱落を防止することができる。しかも、ディスプレイの変更の際には、従来と同様に着脱できてディスプレイを適宜変更することができる。更に、同じ種類の商品を色柄等別に分けて陳列することができるとともに、商品の色柄等別を一目で確認することができる。
【考案を実施するための最良の形態】
【００１７】
以下、本考案の実施の形態を図面に基づいて説明する。図１及び図２は本考案の一実施の形態を示している。
【００１８】
図１及び図２において、１は商品架設体、例えば陳列棚等のネットパネルで、複数の横線材２と複数の縦線材３とを格子状に組んでその交点をスポット溶接等により接合して構成される。４はネットパネル１に取り付けて商品を吊り下げるための陳列用吊下げ具で、ネットパネル１に取り付けるための掛止板５と、商品を吊り下げるための商品吊り杆６とを溶接等の手段により固着して一体化したものである。
【００１９】
掛止板５は、矩形状に形成された板材が用いられ、上端側に掛止片５ａが設けられるとともに、下端側に折曲片５ｂが設けられており、掛止片５ａと折曲片５ｂとの間隔はネットパネル１の上下に隣接する横線材２の間隔と同じにしている。掛止片５ａは、掛止板５の上端部から後面側へ鉤形（逆Ｕ字形）に折曲形成され、ネットパネル１の横線材２に上側から引っ掛けて掛止するようになっている。折曲片５ｂは、掛止板５の下端部から後面側へやや斜め上方に傾斜して折曲形成され、掛止片５ａを掛止する横線材２よりも下段側に位置する横線材２の下面に係止するようになっており、これにより掛止板５の上方移動を規制するようになっている。
【００２０】
商品吊り杆６は、長尺状に形成された棒材が用いられ、掛止板５の前面に所定の角度（例えば、約２０°程度）で前方に向けて斜め下方に傾斜して突出状に固着されている。商品吊り杆６は、先端を上向きに折曲して抜け止めピン６ａを形成するとともに、上面に所要間隔をおいて複数本（本実施例においては５本）の滑止ピン７を溶接等の手段により一体に突設している。また、商品吊り杆６は、抜け止めピン６ａと最先端の滑止ピン７との間、各滑止ピン７間及び最後端の滑止ピン７と掛止板５との間の上面にそれぞれ適宜数の滑止溝６ｂを等間隔に設けている。
【００２１】
上記構成において、陳列用吊下げ具４をネットパネル１に取り付けるには、掛止板５を斜めにした状態でその上端側の掛止片５ａをネットパネル１の横線材２に上側から引っ掛けて掛止した後、掛止板５をネットパネル１に沿うように回転させて下端側の折曲片５ｂを掛止片５ａが掛止された横線材２よりも下段側に位置する横線材２の下面に係止する。これにより、陳列用吊下げ具４はネットパネル１に取り付けられる。そして、この取付状態で、商品を包装したパッケージの上部中央に設けられたフックを商品吊り杆６に引っ掛けることにより、商品を吊り下げ陳列するようになっている。この場合、掛止板５の折曲片５ｂがやや斜め上方に傾斜しているから、掛止板５の折曲片５ｂをネットパネル１の横線材２の下面に係止させると、折曲片５ｂがその傾斜により横線材２の下面を押圧せしめる。これにより、掛止板５の折曲片５ｂがネットパネル１の横線材２に確固に係止され、陳列用吊下げ具４はガタ付きのない状態でネットパネル１に取り付けられる。従って、陳列用吊下げ具４を単に持ち上げても、掛止板５の折曲片５ｂがネットパネル１の横線材２の下面に係止しているので、陳列用吊下げ具４はネットパネル１から簡単に外れることはない。尚、陳列用吊下げ具４をネットパネル１から取り外す場合には、前述の手順を逆にすればよい。
【００２２】
上記実施形態によれば、掛止板５の上端側にネットパネル１の横線材２に上側から引っ掛けて掛止する掛止片５ａを設けるとともに、掛止板５の下端側に掛止片５ａを掛止する横線材２よりも下段側に位置する横線材２の下面に掛止板５の上方移動を規制するように係止する折曲片５ｂを設けたことにより、掛止板５の折曲片５ｂがネットパネル１の横線材２の下面に係止して掛止板５の上方移動を規制しているので、陳列用吊下げ具４を単に持ち上げても、陳列用吊下げ具４はネットパネル１から簡単に外れることはない。しかも、掛止板５をネットパネル１に掛止及び係止により取り付けているので、ネットパネルに対して着脱が自在となっていてディスプレイも適宜変更できる。
【００２３】
また、上記実施形態によれば、掛止板５の折曲片５ｂをやや斜め上方に傾斜して形成したことにより、掛止板５の折曲片５ｂをネットパネル１の横線材２の下面に押圧せしめることができ、掛止板５の折曲片５ｂはネットパネル１の横線材２に確固に係止され、陳列用吊下げ具４はガタ付きのない状態でネットパネル１に取り付けられる。
【００２４】
更に、上記実施形態によれば、掛止板５に商品吊り杆６を所定の角度で下斜状に傾斜して固着し、かつ、商品吊り杆６の先端に抜け止めピン６ａを折曲形成するとともに、商品吊り杆６の上面に所要間隔をおいて適宜数の滑止ピン７を溶接等の手段により一体に突設したことにより、商品吊り杆６の抜け止めピン６ａと各滑止ピン７とにより商品を吊り下げるための吊下げ部が複数に分割されてしまい、これにより色柄等の異なる同じ種類の商品を色柄等別に分けて吊り下げることができる。また、商品吊り杆６の抜け止めピン６ａと最先端の滑止ピン７との間、各滑止ピン７間及び最後端の滑止ピン７と掛止板５との間の上面にそれぞれ適宜数の滑止溝６ｂが等間隔に設けたことにより、商品を包装したパッケージの上部中央に設けられたフックが滑止溝６ｂに引っ掛かってしまうので、商品吊り杆６の傾斜によって吊り下げられた商品が滑って下方にまとまってしまう虞がない。従って、１つの陳列用吊下げ具４で色柄等の異なる同じ種類の商品を色柄等別に分けて陳列することができるとともに、商品吊り杆６の傾斜によって吊り下げられた商品の色柄等を一目で判別できて消費者にとって商品を探し易くなるという効果が得られる。尚、商品吊り杆６の傾斜によって吊り下げられた商品が滑って下方にまとまってしまうのを防止する目的で商品吊り杆６に滑止溝６ｂを設けているが、商品吊り杆６の素材としてねじ棒を用いれば、ねじ棒のねじ溝に商品を包装したパッケージの上部中央部に設けられたフックが引っ掛かってしまうので、商品吊り杆６に滑止溝６ｂを設ける必要がなくて加工コストの削減を図ることができる。
【００２５】
本考案は、以上において説明した実施形態に限定されるものではない。例えば、掛止板５の折曲片５ｂにネットパネル１の横線材２に係止する手段を設け、掛止板５の折曲片５ｂをネットパネル１の横線材２により確固に係止するように構成しても良い。即ち、図３に示すように、掛止板５の折曲片５ｂの上面にネットパネル１の横線材２の下面が係止可能な係止溝８を設け、この係止溝８を横線材２の下面に係止することにより、掛止板５の折曲片５ｂをネットパネル１の横線材２により確固に係止する。また、図４に示すように、掛止板５の折曲片５ｂの上面に断面ギザギザ形状の滑り止め９を設け、この滑り止め９により折曲片５ｂを横線材２の下面に係止することにより、掛止板５の折曲片５ｂをネットパネル１の横線材２により確固に係止する。
【００２６】
また、上記実施形態の陳列用吊下げ具４は、側方から商品吊り杆６に引っ掛けるフックを有するパッケージに包装された商品を吊り下げて陳列するものであるが、前方から商品吊り杆に挿し込む挿通穴を有するパッケージに包装された商品を吊り下げて陳列する場合は、図５に示すような陳列用吊下げ具４´を用いる。この陳列用吊下げ具４´は、商品吊り杆６´以外は陳列用吊下げ具４と構成は同じであり、以下は商品吊り杆６´について説明する。商品吊り杆６´は、掛止板５の前面に所定の角度（例えば、約２０°程度）で前方に向けて斜め下方に傾斜して突出状に固着された棒状支持部６ａ´と、複数（本実施の形態においては３本）に分割されて棒状支持部６ａ´の下方に所定の間隔をおいて配設された棒状吊り部６ｂ´とからなる。各棒状吊り部６ｂ´は、Ｌ字状に折曲形成されており、その水平側を棒状支持部６ｂ´と平行にして垂直側の上端を棒状支持部６ａ´の下面に溶接等の手段により固着して取り付けている。また、各棒状吊り部６ｂ´には、上面にそれぞれ適宜数の滑止溝６ｃ´が等間隔に設けられている。
【００２７】
陳列用吊下げ具４´においては、商品を包装したパッケージの上部中央部に設けられた挿通穴を商品吊り杆６´の棒状吊り部６ｂ´に挿し込むことにより、商品を吊下げて陳列するようになっている。この場合、商品を包装したパッケージの上部中央部に設けられた挿通穴が棒状吊り部６ｂ´に設けられた滑止溝６ｃ´に引っ掛かり、棒状吊り部６ｂ´の傾斜によって吊り下げられた商品が滑って下方にまとまってしまうことはない。尚、商品吊り杆６´の傾斜によって棒状吊り部６ｂ´に吊り下げられた商品が滑って下方にまとまってしまうのを防止する目的で商品吊り杆６´の棒状吊り部６ｂ´に滑止溝６ｃ´を設けているが、商品吊り杆６´の棒状吊り部６ｂ´の素材としてねじ棒を用いれば、ねじ棒のねじ溝に商品を包装したパッケージの上部中央部に設けられた挿通穴が引っ掛かってしまうので、商品吊り杆６´の棒状吊り部６ｂ´に滑止溝６ｃ´を設ける必要がなくて加工コストの低減化を図ることができる。しかも、商品吊り杆６´の棒状吊り部６ｂ´の素材としてねじ棒を用いた場合、商品吊り杆６´の棒状吊り部６ｂ´の径を細くすることができ、商品の抜き取りを容易にできるという効果を有する。
【００２８】
この陳列用吊下げ具４´によれば、商品吊り杆６´の各棒状吊り部６ｂ´に色柄等の異なる同じ種類の商品を色柄等別に分けて吊り下げれば、１つの陳列用吊下げ具４´で色柄等の異なる同じ種類の商品を色柄等別に分けて陳列することができるとともに、吊り下げられた商品の色柄等を一目で判別できて消費者にとって商品を探し易くなるという陳列用吊下げ具４と同じ効果が得られる。
【００２９】
更に、上記実施形態では、商品架設体として複数の横線材２と複数の縦線材３とを格子状に有するネットパネル１を例にとって説明したがこれに限定されず、少なくとも２本の横線材を上下に所定の間隔をおいてほぼ平行状に配置して設けたものであってもよい。
【図面の簡単な説明】
【００３０】
【図１】本考案の一実施形態を示す陳列用吊下げ具の斜視図である。
【図２】同上の側面図である。
【図３】本考案の他の実施形態を示す掛止板の側面図である。
【図４】本考案の他の実施形態を示す掛止板の側面図である。
【図５】本考案の他の実施形態を示す陳列用吊下げ具の側面図である。
【図６】従来例を示す斜視図である。
【図７】同上の側面図である。
【符号の説明】
【００３１】
１  商品架設体（ネットパネル）
２  横線材
３  縦線材
４  陳列用吊下げ具
５  掛止板
５ａ  掛止片
５ｂ  折曲片
６  商品吊り杆
６ａ  折曲部
６ｂ  滑止溝
７  仕切りピン
８  掛止溝
９  滑り止め
４´  陳列用吊り下げ具
６´  商品吊り杆
６ａ´  棒状支持部
６ｂ´  棒状吊り部
６ｃ´  滑止溝
【図１】
0003107337.tif 000003
【図２】
0003107337.tif 000004
【図３】
0003107337.tif 000005
【図４】
0003107337.tif 000006
【図５】
0003107337.tif 000007
【図６】
0003107337.tif 000008
【図７】
0003107337.tif 000009